(57)【要約】【課題】車椅子ユーザに良好な袋詰めの作業性をもたらす。【解決手段】上面に買物かご１０９を載せるための載置面を有する構造体１０４に、後方側を支点として前方側が下降するように載置面を構成する載置台１０７を回動可能に取り付け、この載置台１０７の回動範囲を規制して当該載置台１０７を水平位置と傾斜位置とに位置付けることができるようにし、載置台１０７を傾斜位置に位置付けることで載置台１０７に載せられている買物かご１０９の取出口をユーザに向け、車椅子ユーザに良好な袋詰めの作業性を提供するようにした。【選択図】図６
2008054935.tif 000002
【特許請求の範囲】
【請求項１】
買物かごを載せるための載置面を有する構造体と、
後方側を支点として前方側が下降するように前記構造体に回動可能に取り付けられ、上面が前記載置面を構成する載置台と、
前記載置台の回動範囲を規制して当該載置台を水平位置と傾斜位置とに位置付ける回動規制部と、
前記載置台に前記傾斜位置から前記水平位置に向う付勢力を付与し、買物かごによる負荷がかかっていないときに前記載置台を前記水平位置に復帰させる復帰機構と、
操作部を有し、前記載置台を前記水平位置で支持する状態を前記操作部の操作に応じて解除するラッチ機構と、
を備える袋詰め作業台。
【請求項２】
前記ラッチ機構は、前記復帰機構によって復帰動作する前記載置台の通過を許容する、請求項１記載の袋詰め作業台。
【請求項３】
前記ラッチ機構は、
前記水平位置に位置する前記載置台を支持する支持位置と当該支持位置から退避する退避位置とに変位するキャッチャと、
前記キャッチャを付勢して前記支持位置に位置付ける付勢部と、
前記操作部の操作により生ずる運動を前記キャッチャの前記退避位置への移動運動として当該キャッチャに伝達する第１の動力伝達部と、
前記水平位置に向けて復帰する前記載置台の運動を前記キャッチャの前記退避位置への移動運動として当該キャッチャに伝達する第２の動力伝達部と、
を備える、請求項２記載の袋詰め作業台。
【請求項４】
前記第２の動力伝達部は、前記水平位置に向けて復帰する前記載置台が当接することに応じて前記キャッチャを前記退避位置に変位させるカム面を有している、請求項３記載の袋詰め作業台。
【請求項５】
前記復帰機構は、前記水平位置から前記傾斜位置に向けての前記載置台の自由落下を緩衝するダンパを備える、請求項１ないし４のいずれか一記載の袋詰め作業台。
【請求項６】
前記載置台は、前記載置面上に買物かごを位置決めする突部を有している、請求項１ないし５のいずれか一記載の袋詰め作業台。
【請求項７】
前記構造体は、前記載置台の下方に車椅子ユーザが車椅子に乗ったまま脚部を収納可能な空間部を有する、請求項１ないし６のいずれか一記載の袋詰め作業台。
【請求項８】
前記操作部は、前記構造体の前面側に配置されている、請求項１ないし７のいずれか一記載の袋詰め作業台。
【請求項９】
複数の前記載置台が列設されている、請求項１ないし８のいずれか一記載の袋詰め作業台。
【発明の詳細な説明】
【技術分野】
【０００１】
本発明は、サッカー台と呼ばれる袋詰め作業台のうち、特に、顧客による袋詰め作業を支援する袋詰め作業台に関する。
【背景技術】
【０００２】
スーパーマーケットや量販店等の店舗では、商品登録後の商品や購入後の商品を袋詰めするために用いられるサッカー台と呼ばれる袋詰め作業台を設置している。このような袋詰め作業台は、一例として、チェックアウトレーンとして設けられ、キャッシャーとは別に配備されたサッカーと呼ばれる店員が商品登録後の商品を袋詰めするために用いられる。別の一例として、チェックアウトレーンとは別個に設置されて顧客が購入後の商品を袋詰めするために用いられる。
【０００３】
特許文献１には、手動機構（図３参照）又は油圧機構（図１参照）によって天板を昇降可能にしたサッカー台が記載されている。
【０００４】
【特許文献１】特開平０５−２２５４４１号公報
【発明の開示】
【発明が解決しようとする課題】
【０００５】
近年、車椅子ユーザに利便性をもたらすためのバリアフリー等の社会的インフラ整備が進められている。このようなバリアフリー化は、スーパーマーケットや量販店等の店舗においても促進されている。
【０００６】
ところが、顧客による袋詰め作業を支援する袋詰め作業台においては、立ったままの作業を念頭において設計されているため、車椅子ユーザにとって使いやすいものではない。この点、特許文献１には、天板を昇降させることができるサッカー台が開示されていることから、顧客による袋詰め作業を支援する袋詰め作業台においても、天板を昇降させ得るようにすることが想定される。しかし、車椅子ユーザに使いやすくするためには、天板を相当程度低める必要があり、現実性に乏しい。
【０００７】
しかも、この種の袋詰め作業台は、一般的に複数のユーザの同時使用を可能にするように設計されているので、例えば車椅子ユーザが天板を下げてしまうと、車椅子ユーザと同時に立ったまま作業をするユーザにとっては作業がしにくくなってしまうことが予想される。
【０００８】
本発明の目的は、車椅子ユーザにとって袋詰めの作業性を良好にすることができる袋詰め作業台を得ることである。
【課題を解決するための手段】
【０００９】
本発明の袋詰め作業台は、買物かごを載せるための載置面を有する構造体と、後方側を支点として前方側が下降するように前記構造体に回動可能に取り付けられ、上面が前記載置面を構成する載置台と、前記載置台の回動範囲を規制して当該載置台を水平位置と傾斜位置とに位置付ける回動規制部と、前記載置台に前記傾斜位置から前記水平位置に向う付勢力を付与し、買物かごによる負荷がかかっていないときに前記載置台を前記水平位置に復帰させる復帰機構と、操作部を有し、前記載置台を前記水平位置で支持する状態を前記操作部の操作に応じて解除するラッチ機構と、を備える。
【発明の効果】
【００１０】
本発明によれば、載置台を傾斜位置に位置付けるとその載置台に載せられている買物かごの取出口をユーザに向けることができ、これにより、車椅子ユーザの袋詰め作業をしやすいものにすることができる。
【発明を実施するための最良の形態】
【００１１】
本発明の実施の一形態を図１ないし図１１に基づいて説明する。
【００１２】
図１は、袋詰め作業台の斜視図である。袋詰め作業台１０１は、天板１０２を脚部１０３で支える構造体１０４を基礎として構成されている。脚部１０３は、一対の側板１０５とこれらの側板１０５を連結する裏板１０６とによって形成されている。天板１０２は、４枚の載置台１０７とこれらの載置台１０７を取り囲むように設けられた枠体１０８とによって形成されている。このような構造上、天板１０２の下方には、一対の側板１０５と裏板１０６とによって囲まれた空間部Ｓが形成されている。この空間部Ｓは、車椅子ユーザ（図示せず）が車椅子に乗ったままその脚部を収納可能な程度の大きさに設定されている。
【００１３】
枠体１０８は脚部１０３に固定されて支持され、４枚の載置台１０７は枠体１０８に回動可能に取り付けられている。つまり、載置台１０７は、ユーザが位置する側である袋詰め作業台１０１の前方部分の側が下降するように、その後方部分を支軸ＳＡ１（図３、図７〜図１１参照）によって枠体１０８に回動可能に取り付けられている（図６参照）。このような載置台１０７は、その上面に買物かご１０９（図３参照）を載置するための載置面１０７ａを形成し、買物かご１０９の投影面よりも僅かに大きく形成されている。そして、買物かご１０９を位置決めするために、載置面１０７ａの前方部分には、突部としての突条１１０が突出形成されている。
【００１４】
載置台１０７の載置面１０７ａは、構造体の上面に設けられ、買物かごを載せるための載置面の一部を構成する。載置面の残りの一部は、枠体１０８の前方上面領域によって形成されている。この領域は、載置面１０８ａである。
【００１５】
枠体１０８には、その前面に、個々の載置台１０７に対応させて操作部としての操作ボタン１１１が設けられている。これらの操作ボタン１１１は、載置台１０７の前方部分を下降させるために用いられる。
【００１６】
図２は、操作ボタン１１１に設けられた作業支援マークの正面図である。載置台１０７の前方部分を下降させるのは、車椅子ユーザの使用の便宜のためである。つまり、載置台１０７の前方部分を下降させて傾ければ、この載置台１０７に載置されている買物かご１０９の取出口がユーザに向けられる。この態勢は、車椅子ユーザにとって買物かご１０９に対する品物の取出しが極めてやりやすい態勢である。これにより、載置台１０７の前方部分を下降させれば、車椅子ユーザに良好な袋詰め作業性を提供することができる。このような事情から、操作ボタン１１１を押下することになるユーザは、第一義的には車椅子ユーザということになる。
【００１７】
そこで、図２に示すように、操作ボタン１１１の操作側端部には、車椅子を表現する作業支援マーク１１２が描かれている。車椅子ユーザは、作業支援マーク１１２を見ることで、直感的に操作ボタン１１１を押下することになるであろう。
【００１８】
もっとも、載置台１０７の前方部分を下降させた場合に袋詰め作業が容易になるのは、車椅子ユーザに限らず、子供等の背が低いユーザ全般に共通する事象である。
【００１９】
図３は、載置台１０７に載置された買物かご１０９を傾斜配置させるための機構を示す縦断断面図である。枠体１０８は、載置台１０７の下方に位置させて窪み１１３を有している。この窪み１１３は、枠体１０８に固定されている上面開口の凹状部材１１４によって形成されている。凹状部材１１４は、前方部分が下降した載置台１０７の最下方位置を規制する。これにより、載置台１０７は、図３に示す水平位置ＨＰと前方部分が凹状部材１１４の底部に支えられる傾斜位置ＩＰ（図７及び図８参照）との間に位置付けられる。この場合、凹状部材１１４の底部は、傾斜位置ＩＰに位置する載置台１０７の回動範囲をそれ以上回動しないように規制している。その意味で、凹状部材１１４は、載置台１０７の回動範囲を規制して当該載置台１０７を傾斜位置ＩＰに位置付けるが故に、載置台１０７の回動範囲を水平位置ＨＰと傾斜位置ＩＰとの間に規制する回動規制部の一部を構成している。
【００２０】
図３に示すように、袋詰め作業台１０１は、復帰機構１１５とラッチ機構１１６とを有している。
【００２１】
復帰機構１１５は、載置台１０７に傾斜位置ＩＰから水平位置ＨＰに向う付勢力を付与し、買物かご１０９による負荷がかかっていないという条件で載置台１０７を水平位置ＨＰに復帰させる機構である。このような復帰機構１１５は、圧縮コイルばね１１７を主体として構成されている。つまり、圧縮コイルばね１１７は、載置台１０７の支軸ＳＡ１の近傍に位置させて、凹状部材１１４の底部と載置台１０７との間に圧縮状態で配置されている。圧縮コイルばね１１７は、載置台１０７に買物かご１０９が載置されている場合、たとえ買物かご１０９が空であったとしても、載置台１０７の前方部分の自由落下を許容する伸び強さに設定されている。そして、このような圧縮コイルばね１１７の伸び強さは、傾斜位置ＩＰに位置する載置台１０７から買物かご１０９が取り去られた場合、換言すると買物かご１０９による負荷がかかっていないという条件で、載置台１０７を水平位置ＨＰに復帰させる程度にも設定されている。
【００２２】
このような構造の復帰機構１１５は、更に、水平位置ＨＰから傾斜位置ＩＰに向けての載置台１０７の自由落下を緩衝するダンパ１１８をも備えている。ダンパ１１８は、一例としてガススプリングによって構成されている。このようなダンパ１１８は、載置台１０７の支軸ＳＡ１の近傍に位置させて、凹状部材１１４の底部と載置台１０７との間に配置されている。
【００２３】
ラッチ機構１１６は、前述した操作ボタン１１１とキャッチャ１１９とを有し、載置台１０７及びその周辺機構に第１の状態と第２の状態と第３の状態とを生じさせる。第１の状態は、キャッチャ１１９によって載置台１０７を水平位置ＨＰで支持する状態である。第２の状態は、操作ボタン１１１の操作に応じてキャッチャ１１９による載置台１０７の支持を支持解除する状態である。そして、第３の状態は、復帰機構１１５によって復帰動作する載置台１０７をキャッチャ１１９の部分で通過許容する状態である。
【００２４】
図４は、ラッチ機構１１６を示す縦断側面図である。まず、ラッチ機構１１６を説明する前に、回動規制部について説明する。前述したように、凹状部材１１４は、載置台１０７の回動範囲を規制して当該載置台１０７を傾斜位置ＩＰに位置付けるが故に、載置台１０７の回動範囲を水平位置ＨＰと傾斜位置ＩＰとの間に規制する回動規制部の一部を構成している。これに対して、回動規制部の他の一部を構成する機構、つまり、載置台１０７の回動範囲を規制して当該載置台１０７を水平位置ＨＰに位置付けるための機構として、載置台１０７の両側部には一対のストッパ１２０が設けられている。これらのストッパ１２０は、図４に示すように、枠体１０８に当接し、載置台１０７が水平位置ＨＰよりも更に上方に向けて回動することを阻止している。
【００２５】
ラッチ機構１１６について説明する。ラッチ機構１１６の主体をなすのは、前述したキャッチャ１１９である。キャッチャ１１９は、支軸ＳＡ２を介して枠体１０８に回動可能に取り付けられ、水平位置ＨＰに位置する載置台１０７を支持する支持位置ＳＰ（図３、図８、図１０も参照）と当該支持位置ＳＰから退避する退避位置ＥＰ（図７参照）とに変位する。つまり、キャッチャ１１９はフック部１２１を備え、支持位置ＳＰにおいては、フック部１２１によって載置台１０７の前方部分下面を支持することができるように形成されている。そして、キャッチャ１１９が回動して退避位置ＥＰに位置付けられると、載置台１０７の回動軌跡上からフック部１２１が退避し、もはや載置台１０７を支持し得ない状態となる。
【００２６】
キャッチャ１１９は、通常、支持位置ＳＰに位置付けられている。これを実現しているのは付勢部としての引張コイルばね１２２である。つまり、枠体１０８には、操作ボタン１１１を保持するための保持フレーム１２３がネジ止めされており、この保持フレーム１２３とキャッチャ１１９との間に引張コイルばね１２２が引っ張り力を発揮できる状態で掛け渡されている。キャッチャ１１９に対する引張コイルばね１２２の連結位置は、キャッチャ１１９の支軸ＳＡ２よりも上方位置である。これにより、キャッチャ１１９は、その上方部分が袋詰め作業台１０１の前方方向に引っ張られることになるので、フック部１２１が支持位置ＳＰに位置付けられる方向に付勢されることになる。
【００２７】
ラッチ機構１１６は、操作ボタン１１１の操作により生ずる運動をキャッチャ１１９の退避位置ＥＰへの移動運動として当該キャッチャ１１９に伝達する第１の動力伝達部１２４を備えている。つまり、操作ボタン１１１は、図４に示すように棒状部材であり、枠体１０８を貫通してキャッチャ１１９に接触する位置まで延出している。その接触位置は、支軸ＳＡ２と引張コイルばね１２２が掛け渡されている位置との間の位置である。枠体１０８の内部では、保持フレーム１２３が操作ボタン１１１を保持している。操作ボタン１１１は、その中央よりもやや先端側に位置させて、フランジ１２５を有している。フランジ１２５は、枠体１０８の直ぐ裏面側に位置付けられている。そして、フランジ１２５と保持フレーム１２３との間には、操作ボタン１１１を挿通させる第２の圧縮コイルばね１２６が圧縮状態で配置されている。そこで、操作ボタン１１１は、作業支援マーク１１２が付されているその操作側端部の押し込み操作を受け付け、押し込んだ状態で指が離されると、第２の圧縮コイルばね１２６の伸び力によって元の位置に復帰する。この際、操作ボタン１１１は、前述したように、キャッチャ１１９に接触する位置まで延出しているので、操作側端部が押し込み操作されると、キャッチャ１１９を押圧する。押圧位置は、前述したように、支軸ＳＡ２と引張コイルばね１２２が掛け渡されている位置との間の位置である。そこで、この位置を押圧されたキャッチャ１１９は、支軸ＳＡ２を中心として図４中の時計方向に回動する。これによって、キャッチャ１１９は、そのフック部１２１を退避位置ＥＰに移動させる。
【００２８】
図５は、ラッチ機構１１６を構成する操作ボタン１１１の取り付け構造を示す斜視図である。前述した操作ボタン１１１の取り付け構造は、図５を参照することでより一層理解し易いものとなる。
【００２９】
図４を再び参照する。ラッチ機構１１６は、水平位置ＨＰに向けて復帰する載置台１０７の運動をキャッチャ１１９の退避位置ＥＰへの移動運動として当該キャッチャ１１９に伝達する第２の動力伝達部１２７を備えている。つまり、キャッチャ１１９は、水平位置ＨＰに向けて復帰する載置台１０７が当接することに応じてキャッチャ１１９を退避位置ＥＰに変位させるカム面１２８を備えている。このカム面１２８は、フック部１２１の下方に位置させて形成されている。そして、支軸ＳＡ２を中心としてフック部１２１の頂部を半径とする円弧を想定し、この円弧よりも緩やかな曲面をなしている。そこで、水平位置ＨＰに向けて復帰する載置台１０７がカム面１２８に当接すると、載置台１０７の当接部分はカム面１２８を滑りながら上昇を進め、これに応じてキャッチャ１１９が支軸ＳＡ２を中心として図４中の時計方向に回動することになる。その結果、キャッチャ１１９は、そのフック部１２１を退避位置ＥＰに退避させ、載置台１０７の通過を許容する。
【００３０】
なお、本実施の形態では、カム面１２８として円弧状のものを示したが、カム面１２８は必ずしも円弧状である必要はなく、直線状でも良い。
【００３１】
このような構成において、袋詰め作業台１０１は、顧客であるユーザによる購入済み商品の袋詰め作業を支援する。つまり、ユーザは、載置台１０７の載置面１０７ａに購入済み商品を入れた買物かご１０９を載置する。これにより、立ったまま作業をするユーザに良好な袋詰め作業性を提供することができる。
【００３２】
これに対して、ユーザが車椅子ユーザや背が低いユーザである場合、載置台１０７の載置面１０７ａに載置した買物かご１０９を自分の方向に傾け、商品の取り出しを容易にすることができる。そのためには、載置台１０７の載置面１０７ａに購入済み商品を入れた買物かご１０９を載置した後、操作ボタン１１１を押下する。これにより、操作ボタン１１１が押し込まれ、その先端部がキャッチャ１１９を押圧して回動させる。回動方向は、図４中の時計方向である。これにより、キャッチャ１１９は、フック部１２１が載置台１０７を支持している支持位置ＳＰから退避位置ＥＰに変位し、フック部１２１による載置台１０７の支持を解除する。すると、載置台１０７の自由端側が自由落下する。
【００３３】
図６は、買物かご１０９を傾斜配置した状態を示す袋詰め作業台１０１の斜視図である。載置台１０７の自由端側が自由落下すると、載置台１０７は傾斜配置され、傾斜位置ＩＰに位置付けられる。これに伴い、載置台１０７の載置面１０７ａに載置されている買物かご１０９も傾斜配置される。その結果、買物かご１０９は、図６に示すような状態、つまり、ユーザの方向に取出口が向けられた状態で保持される。したがって、車椅子ユーザや背が低いユーザにしてみると、買物かご１０９が自分の方向に傾けられた状態となるので、商品の取り出しが容易になる。これにより、車椅子ユーザや背が低いユーザに良好な袋詰め作業性を提供することができる。
【００３４】
この際、構造体１０４を構成する枠体１０８の前方上面領域に形成されている載置面１０８ａは、買物かご１０９から取り出した商品を入れるレジ袋を置くための台として役立つ。つまり、ユーザは、載置面１０８ａにレジ袋を広げ、買物かご１０９から取り出した商品を次々と入れることができる。
【００３５】
また、載置台１０７の自由端側が自由落下するに際しては、袋詰め作業台１０１に設けられているダンパ１１８が載置台１０７の自由落下を緩衝する。これにより、載置台１０７は急激に自由落下せず、緩やかに落下する。このため、操作ボタン１１１が押下された際、買物かご１０９の状態遷移を緩やかで洗練されたものとすることができる。とりわけ、視線位置が低い車椅子ユーザにとっては、買物かご１０９の状態遷移が目の前で繰り広げられることになるため、急激な状態遷移動作が展開されるとドキッとした心理になる。これに対して、そのような状態遷移動作が緩やかであれば、車椅子ユーザに心理的負担を与えずに済む。そればかりか、洗練された買物かご１０９の状態遷移の様子は、車椅子ユーザであると非車椅子ユーザであると、を問わずにそれを見る者に愉悦感さえ与えることができる。
【００３６】
更に、載置台１０７が傾斜位置ＩＰに位置付けられると、買物かご１０９は載置台１０７を滑ろうとする。これに対して、突条１１０がこれを塞き止め、買物かご１０９を確実に位置保持する。
【００３７】
図７は、載置台１０７に載置された買物かご１０９を傾斜配置させるために操作ボタン１１１を押下した直後の状態を示す縦断側面図である。載置台１０７は、その自由端が凹状部材１１４の底部に到達するまで回動し、その位置で位置保持される。このような載置台１０７の保持位置は、傾斜位置ＩＰである。この際、ユーザが未だ操作ボタン１１１から指を離していないと想定すると、ラッチ機構１１６におけるキャッチャ１１９は、退避位置ＥＰに位置付けられていることになる。
【００３８】
図８は、載置台１０７に載置された買物かご１０９を傾斜配置させるために操作ボタン１１１を押下した後に操作ボタン１１１から指を離した状態を示す縦断側面図である。ユーザが操作ボタン１１１から指を離すと、ラッチ機構１１６におけるキャッチャ１１９は、退避位置ＥＰ（図７参照）から支持位置ＳＰに復帰する。操作ボタン１１１から指を離すと、図４に示すように、第２の圧縮コイルばね１２６が操作ボタン１１１を初期位置に復帰させ、これに応じてキャッチャ１１９が引張コイルばね１２２に引っ張られて図４中の反時計方向に回動し、フック部１２１を支持位置ＳＰに位置付けるからである。
【００３９】
図９は、傾斜配置された買物かご１０９を取り去った直後の袋詰め作業台１０１の斜視図である。その後、例えば車椅子ユーザは、空になった買物かご１０９を取り去る。この瞬間、載置台１０７は、傾斜位置ＩＰに位置付けられている。
【００４０】
図１０は、傾斜配置された買物かご１０９を取り去った後に載置台１０７が元の位置に復帰する一過程の状態を示す縦断断面図である。これに対して、例えば車椅子ユーザは、空になった買物かご１０９を取り去ると、傾斜位置ＩＰに位置付けられている載置台１０７は圧縮コイルばね１１７の復元力によって水平位置ＨＰに向けて上昇回動する。そして、キャッチャ１１９が載置台１０７の回動軌跡に干渉する支持位置ＳＰに位置付けられていることから、上昇回動する載置台１０７の先端部がキャッチャ１１９に当接する。
【００４１】
図１１は、図１０に示す状態から載置台１０７の復帰動作が更に進んだ状態を示す縦断側面図である。上昇回動する載置台１０７の先端部が当接するのは、キャッチャ１１９に形成されているカム面１２８である。水平位置ＨＰに向けて復帰する載置台１０７がカム面１２８に当接すると、載置台１０７の当接部分はカム面１２８を滑りながら上昇を進め、これに応じてキャッチャ１１９が支軸ＳＡ２を中心として図４中の時計方向に回動することになる。その結果、キャッチャ１１９は、そのフック部１２１を退避位置ＥＰに退避させ、載置台１０７の通過を許容する。したがって、上昇回動する載置台１０７は、図３及び図４に示す支持位置ＳＰに復帰する。
【図面の簡単な説明】
【００４２】
【図１】本発明の実施の一形態を示す袋詰め作業台の斜視図である。
【図２】操作ボタンに設けられた作業支援マークの正面図である。
【図３】載置台に載置された買物かごを傾斜配置させるための機構を示す縦断断面図である。
【図４】ラッチ機構を示す縦断側面図である。
【図５】ラッチ機構を構成する操作部の取り付け構造を示す斜視図である。
【図６】買物かごを傾斜配置した状態を示す袋詰め作業台の斜視図である。
【図７】載置台に載置された買物かごを傾斜配置させるために操作ボタンを押下した直後の状態を示す縦断側面図である。
【図８】載置台に載置された買物かごを傾斜配置させるために操作ボタンを押下した後に操作ボタンから指を離した状態を示す縦断側面図である。
【図９】傾斜配置された買物かごを取り去った直後の袋詰め作業台の斜視図である。
【図１０】傾斜配置された買物かごを取り去った後に載置台が元の位置に復帰する一過程の状態を示す縦断断面図である。
【図１１】図１０に示す状態から載置台の復帰動作が更に進んだ状態を示す縦断側面図である。
【符号の説明】
【００４３】
１０４…構造体、１０７…載置台、１０７ａ…載置面、１０９…買物かご、１１０…突条（突部）、１１１…操作ボタン（操作部）、１１４…凹状部材（回動規制部）、１１５…復帰機構、１１６…ラッチ機構、１１８…ダンパ、１１９…キャッチャ、１２０…ストッパ（回動規制部）、１２２…引張コイルばね（付勢部）、１２４…第１の動力伝達部、１２７…第２の動力伝達部、１２８…カム面、ＨＰ…水平位置、ＩＰ…傾斜位置、Ｓ…空間部、ＳＰ…支持位置、ＥＰ…退避位置
【図１】
2008054935.tif 000003
【図２】
2008054935.tif 000004
【図３】
2008054935.tif 000005
【図４】
2008054935.tif 000006
【図５】
2008054935.tif 000007
【図６】
2008054935.tif 000008
【図７】
2008054935.tif 000009
【図８】
2008054935.tif 000010
【図９】
2008054935.tif 000011
【図１０】
2008054935.tif 000012
【図１１】
2008054935.tif 000013